(57)【要約】【課題】  異なる端子数の電子部品であっても対応できる、汎用性のある配線基板を提供する【解決手段】  ２種類の電子部品１，２を接続可能とする複数のランド４１，４２，４３を備えた配線基板Ａにおいて、第１のランド４１は、一方の電子部品１の第１の端子１１、または、他方の電子部品２の第１，第２の端子２１，２２を接続可能とし、第２のランド４２は、一方の電子部品１の第２の端子１２、または、他方の電子部品２の第３の端子２３を接続可能とし、第３のランド４３は、一方の電子部品１の第３の端子１３、または、他方の電子部品２の第４，第５の端子２４，２５を接続可能とする。【選択図】  図１
2010186897.tif 000002
【特許請求の範囲】
【請求項１】
２種類の電子部品を接続可能とする複数のランドを備えた配線基板において、
前記各ランドは、列状に独立して並ぶ第１，第２，第３のランドからなり、
前記２種類の電子部品のうち一方の電子部品のパッケージの片側に設けられた第１，第２，第３の端子、または、前記２種類の電子部品のうち他方の電子部品のパッケージの片側に設けられた第１乃至第５の端子と接続可能とし、
前記第１のランドは、前記一方の電子部品の前記第１の端子、または、前記他方の電子部品の前記第１，第２の端子を接続可能とし、
前記第２のランドは、前記一方の電子部品の前記第２の端子、または、前記他方の電子部品の前記第３の端子を接続可能とし、
前記第３のランドは、前記一方の電子部品の前記第３の端子、または、前記他方の電子部品の前記第４，第５の端子を接続可能としたことを特徴とする配線基板。
【請求項２】
前記各ランドは、前記電子部品である固定用端子を備えたレギュレータの各端子と接続可能な前記第１，第２，第３のランドと、
前記一方の電子部品の前記固定用端子と前記他方の電子部品の前記固定用端子との両方の形状に対応した形状で、前記固定用端子と半田接続するための固定用ランドとを備えてなることを特徴とする請求項１に記載の配線基板。
【発明の詳細な説明】
【技術分野】
【０００１】
本発明は、配線基板に関し、特に、端子数の異なる電子部品の何れかを実装して、接続できる共通のランドを備えた配線基板に関する。
【背景技術】
【０００２】
従来、ランド（フットプリント）のサイズは、電子部品のサイズによって様々であり、配線基板に搭載する電子部品の種類の増加とともにランドのサイズも増加している。このため、回路仕様の変更によりサイズの異なる部品が採用される場合を鑑みて、予め各サイズそれぞれに対応したランドを用意したものが提案されており、例えば、特許文献１に開示されている。
【先行技術文献】
【特許文献】
【０００３】
【特許文献１】特開平９−８３１１６号公報
【発明の概要】
【発明が解決しようとする課題】
【０００４】
しかしながら、このように構成された従来の配線基板にあっては、電子部品サイズに対応することができるものの、異なる端子数の電子部品にあっては対応することができないでいた。
【０００５】
本発明の目的は、上述した課題に着目し、異なる端子数の電子部品であっても対応できる、汎用性のある配線基板を提供することにある。
【課題を解決するための手段】
【０００６】
本発明は、２種類の電子部品を接続可能とする複数のランドを備えた配線基板において、前記各ランドは、列状に独立して並ぶ第１，第２，第３のランドからなり、前記２種類の電子部品のうち一方の電子部品のパッケージの片側に設けられた第１，第２，第３の端子、または、前記２種類の電子部品のうち他方の電子部品のパッケージの片側に設けられた第１乃至第５の端子と接続可能とし、前記第１のランドは、前記一方の電子部品の前記第１の端子、または、前記他方の電子部品の前記第１，第２の端子を接続可能とし、前記第２のランドは、前記一方の電子部品の前記第２の端子、または、前記他方の電子部品の前記第３の端子を接続可能とし、前記第３のランドは、前記一方の電子部品の前記第３の端子、または、前記他方の電子部品の前記第４，第５の端子を接続可能としたことを特徴とする配線基板。
【０００７】
また、本発明は、前記各ランドは、前記電子部品である固定用端子を備えたレギュレータの各端子と接続可能な前記第１，第２，第３のランドと、前記一方の電子部品の前記固定用端子と前記他方の電子部品の前記固定用端子との両方の形状に対応した形状で、前記固定用端子と半田接続するための固定用ランドとを備えてなることを特徴とする配線基板。
【発明の効果】
【０００８】
本発明は、２種類の電子部品を接続可能とする複数のランドを備えた配線基板において、異なる端子数の電子部品であっても対応できる、汎用性のある配線基板となる。
【図面の簡単な説明】
【０００９】
【図１】本発明の実施の形態のレギュレータを実装するための配線基板を示す平面図。
【発明を実施するための形態】
【００１０】
以下、本発明の実施の形態として車両に搭載される車両用計器内におけるレギュレータ（電子部品）を実装するための配線基板に適用したものを例に挙げて添付図面を用いて説明する。
【００１１】
図１は、一点鎖線にて示す３端子レギュレータ（一方の電子部品）１、または点線にて示す５端子レギュレータ（他の電子部品）２を実装可能な配線基板Ａを示す図であり、配線パターン３と、ランド４と、を備えており、絶縁性のある樹脂を含浸した基板（例えば、ガラスエポキシ基板）上に、所定のパターンからなる銅箔など導電体を構成するものである。
【００１２】
３端子レギュレータ１は、配線基板Ａに表面実装可能な第１，第２，第３の端子１１〜１３をパッケージ１４の片側に備えるとともに、パッケージ１４を配線基板Ａに固定するとともに３端子レギュレータ１が発する熱を配線基板Ａに伝達する効果を有する図示しない固定用端子とを備えている。
【００１３】
なお、この場合、３端子レギュレータ１の第１の端子１１は、車両に搭載されるバッテリなどの電源から供給される１３Ｖ前後の電圧を入力し、前記第２の端子１２は、第１の端子１１と第３の端子１３との間に設けられ、ランド４や配線パターン３などを介して接地され、第３の端子１３は、３端子レギュレータ１によって降圧されて５Ｖの電圧を出力するように構成される。
【００１４】
５端子レギュレータ２は、配線基板Ａに表面実装可能な第１乃至第５の端子２１〜２５をパッケージ２４の片側に備えるとともに、パッケージ２４を配線基板Ａに固定するとともに５端子レギュレータ２が発する熱を配線基板Ａに伝達する効果を有する図示しない固定用端子とを備えている。
【００１５】
なお、この場合、５端子レギュレータ２の第１の端子２１は、他の端子２２〜２５の端に設けられ、車両に搭載されるバッテリなどの電源から供給される１３Ｖ前後の電圧を入力し、前記第３の端子１３は、第１〜第５の端子２１〜２５の真ん中に設けられ、ランド４や配線パターン３などを介して接地され、第５の端子２５は、５端子レギュレータ２によって降圧されて５Ｖの電圧を出力するように構成される。また、第２，第４の端子２２，２４は、出力制御に使用できるが、この場合、機能的に使用しない。
【００１６】
配線パターン３は、絶縁基板上の銅箔によって形成されるものであり、配線基板Ａに別途実装されるマイクロコンピュータなどの電子部品に電源を実装されるレギュレータ１，２へ供給したり、車両に搭載されたバッテリからの電源を供給したりするために各ランド４と通電する。
【００１７】
ランド４は、各レギュレータ１，２の端子と半田接続可能な第１，第２，第３のランド４１，４２，４３と、固定用ランド４４とを備えている。第１のランド４１は、３端子レギュレータ１の第１の端子１１、または、５端子レギュレータ２の第１，第２の端子２１，２２を接続可能とし、第２のランド４２は、３端子レギュレータ１の第２の端子１２、または、５端子レギュレータ２の第３の端子２３を接続可能とし、第３のランド４３は、３端子レギュレータ１の第３の端子１３、または、５端子レギュレータ２の第４，第５の端子２４，２５と接続可能とするように、実装される各レギュレータ１，２の端子の配列ピッチや長さなどの形状に対応して設けられる。
【００１８】
従って、異なるパッケージサイズや異なる端子数の電子部品であっても対応できる、汎用性のある配線基板となる。
【００１９】
また、各レギュレータ１，２の前記固定用端子を半田接続するための固定用ランド４４を備えてなる。なお、固定用ランド４４は、各レギュレータ１，２の前記固定用端子の形状に対応できるように設けられる。
【００２０】
なお、本発明の配線基板を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２１】
本発明に係る配線基板は、２種類の電子部品を実装可能な配線基板に関して、特に、レギュレータなどの表面実装部品を実装するためのランドを設けたプリント配線基板に適用できる。
【符号の説明】
【００２２】
１    ３端子レギュレータ（一方の電子部品）
１１  第１の端子
１２  第２の端子
１３  第３の端子
２    ５端子レギュレータ（他方の電子部品）
２１  第１の端子
２２  第２の端子
２３  第３の端子
２４  第４の端子
２５  第５の端子
３    配線パターン
４    ランド
４１  第１のランド
４２  第２のランド
４３  第３のランド
【図１】
2010186897.tif 000003